(57)【特許請求の範囲】
【請求項１】
オルソ画像を作成すべきオルソ画像作成範囲を設定するオルソ画像作成範囲設定部と、
オルソ画像の作成対象となる画像を撮影するカメラに関する撮影カメラ情報を設定する撮影情報設定部と、
上記撮影情報設定部に設定された撮影カメラ情報に基づき、撮影可能な撮影可能範囲を求める撮影可能範囲演算部と、
上記撮影可能範囲演算部で求められた撮影可能範囲に基づいて、上記オルソ画像作成範囲設定部に設定されたオルソ画像作成範囲で、オルソ画像を形成する撮影画像を得るための、撮影位置及び枚数及び上記撮影カメラに関する撮影条件を演算する撮影条件演算部と
を備えた画像形成システム。
【請求項２】
請求項１に記載の画像形成システムにおいて、
カメラにより撮影された撮影画像から、そのオルソ画像を形成するオルソ画像形成部をさらに備え、
上記オルソ画像作成範囲設定部は、上記オルソ画像形成部が形成したオルソ画像中で、さらに新たな画像に基づくオルソ画像を作成すべき新たなオルソ画像作成範囲を設定し、
上記撮影可能範囲演算部は、上記撮影情報設定部に設定された撮影カメラ情報に基づき、新たな撮影可能範囲を求め、
上記撮影条件演算部は、上記撮影可能範囲演算部で求められた新たな撮影可能範囲に基づいて、上記オルソ画像作成範囲設定部に設定された新たなオルソ画像作成範囲で、オルソ画像を形成する撮影画像を得るための、撮影位置及び枚数及び上記撮影カメラに関する撮影条件を演算すること
を特徴とする画像形成システム。
【請求項３】
請求項１又は２に記載の画像形成システムにおいて、
ＧＰＳを含むナビゲーション部をさらに備え、位置情報を表示することを特徴とする画像形成システム。
【請求項４】
請求項１乃至３のいずれかに記載の画像形成システムにおいて、
上記カメラは、静止画用カメラで形成されており、
上記撮影条件演算部により演算される撮影条件は、撮影回数、撮影方向又は角度、撮影位置のいずれかひとつ又は複数であり、
上記撮影条件は、上記オルソ画像作成範囲の面積及び上記撮影可能範囲から設定されたオーバーラップ率から計算されることを特徴とする画像形成システム。
【請求項５】
請求項１乃至３のいずれかに記載の画像形成システムにおいて、
上記カメラは、動画用カメラで形成されており、
上記撮影条件演算部により演算される撮影条件は、撮影方向又は角度、移動方向、移動速度、撮影位置のいずれかひとつ又は複数であり、
上記撮影条件は、上記オルソ画像作成範囲の面積及び上記撮影可能範囲から設定されたオーバーラップ率から計算されることを特徴とする画像形成システム。
【請求項６】
請求項１乃至５のいずれかに記載の画像形成システムにおいて、
上記撮影条件演算部は、空撮の場合には、撮影高さを含む撮影条件を演算し、一方、地上撮影の場合には、撮影角度及び画角を含む撮影条件を演算することを特徴とする画像形成システム。
【請求項７】
請求項１乃至６のいずれかに記載の画像形成システムにおいて、
上記撮影情報設定部に設定される撮影カメラ情報は、撮影レンズの画角、撮像面の大きさ、撮影レンズの焦点距離、オルソ画像作成範囲と位置とが関係付けられた撮影位置のいずれかひとつ又は複数であることを特徴とする画像形成システム。
【請求項８】
請求項１乃至７のいずれかに記載の画像形成システムにおいて、
上記撮影情報設定部には、静止画用カメラ又は動画用カメラの情報、地上撮影又は空撮の情報、必要精度の情報のいずれかひとつ又は複数が設定されることを特徴とする画像形成システム。
【発明の詳細な説明】
【０００１】
【発明の属する技術分野】
本発明は、画像形成システムに係り、特に、写真等の中心投影画像から正射投影（オルソ）画像を作成して、画像自体に地図の意味を持たせたり（寸法を表すこと等）、地図に画像を重ねあわせたりした、現地状況のわかる画像地図を作成・修正するようにした画像形成システムに関する。
【０００２】
【従来の技術】
従来技術によれば、計測現場で測量することにより得られる図面は、平板測量に代表されるような紙と鉛筆等により作成されていた。また、近年では、電子平板に代表されるような測量機とポータブルコンピュータとの組み合わせにより、計測現場の線画図面が作成されていた。このような従来の電子平板では、オルソ画像作成を行なうために必要な画像と、基準点等の三次元データとを取得するために、該当する地域における計測と撮影の概略計画をたてるか、あるいは計画を立てずにいきなり現地にいって計測及び撮影等の作業を行なっていた。
【０００３】
【発明が解決しようとする課題】
しかしながら、従来では、実際の計測及び撮影の計画をして現場にてそれらを行なっても、これらの計画は机上のものであるため、実際と異なり失敗やミスがさけられない場合があり、時間や手間がかかっていた。さらに、従来では、計測データや撮影データをオフィス等に持ち帰って解析する場合には、そのデータが不足だったり使用出来なかったりして、再び現地で計測及び撮影をやり直す等の効率の良くない作業をやらなければならない場合が、少なからずあった。
【０００４】
本発明は、以上の点に鑑み、これらオルソ画像作成・修正にあたって、計測及び撮影現場での失敗や不足等がないようにし、また、再び現地にて撮影及び計測等の時間がかからないようにすることを目的とする。また、本発明は、現地での作業と実際に整合がとれるような撮影計画をその必要精度やオルソ画像作成範囲等からシミュレーションし、さらにそれらにあわせ最適の機材を選択できるようにし、現地にて間違いのない計測及び撮影の支援を行うようにした画像形成システムを提供することを目的とする。
【０００５】
本発明は、従来は机上での計測及び撮影計画であったものを、実際に撮影範囲、撮影位置、使用機材、撮影枚数等の撮影条件について、計算及び選択を行い、且つ、現地にて実際にそれら指示及び確認を行いながら、画像取得及び計測を可能とし、失敗やミス、撮り直し等がなくなり、効率的なオルソ画像作成ができるようにした画像形成システムを提供することを目的とする。
【０００６】
さらに、本発明は、ＧＰＳを使用すれば、だれでも簡単に計測とオルソ画像取得とを同時に実施できるようにした画像形成システムを提供することを目的とする。また、本発明は、計測データや画像データを蓄積していくことで、詳細なオルソ画像図面が順次作成され、さらに所望の縮尺でオルソ画像を作成することを可能とするようにした画像形成システムを提供することを目的とする。
【０００７】
【課題を解決するための手段】
本発明の第１の解決手段によれば、
オルソ画像を作成すべきオルソ画像作成範囲を設定するオルソ画像作成範囲設定部と、
オルソ画像の作成対象となる画像を撮影するカメラに関する撮影カメラ情報を設定する撮影情報設定部と、
上記撮影情報設定部に設定された撮影カメラ情報に基づき、撮影可能な撮影可能範囲を求める撮影可能範囲演算部と、
上記撮影可能範囲演算部で求められた撮影可能範囲に基づいて、上記オルソ画像作成範囲設定部に設定されたオルソ画像作成範囲で、オルソ画像が適切に形成できる撮影画像を得るための撮影条件を演算する撮影条件演算部と
を備えた画像形成システムを提供する。
【０００８】
【発明の実施の形態】
以下、本発明に係る画像形成システムの実施の形態を、図面を参照して説明する。
【０００９】
（１）全体構成
まず、画像形成システムの全体構成及び動作の概要について説明する。
図１は、本発明に係る画像形成システムの全体構成図である。この画像形成システムは、画像形成装置２０００、フィールド画像処理装置１０００、ＧＰＳ受信機３０００を備える。画像形成装置２０００は、主に、オルソ画像を形成する。フィールド画像処理装置１０００は、現地にてオルソ画像修正・作成・確認等を行う。ＧＰＳ受信機３０００は、現在位置や修正個所の確認等を行うものである。ここでは、画像形成装置２０００とフィールド画像処理装置１０００とは、別々の構成になっているが、これらの装置を一つのものとしても良い。さらに、ＧＰＳ受信機３０００も同一装置として構成しても良い。
【００１０】
つぎに、動作の概要を説明する。
図２に、オルソ画像作成の概略フローチャートを示す。なお、オルソ画像の作成と、その修正とは、作成又は修正の大本となる素材が異なるだけであり、後の処理は同じものとなる。
最初に、オルソ画像を作成したい場合は、オルソ画像を作成したい地域の地図、数値地図又は電子地図等を入手する（ステップＳ５００）。地図の場合は、スキャナ等で読み込み、ベクトル化した電子地図としても良いし、ただ参考にするだけでも良い。あるいは、撮影された画像からオルソ画像を作成する場合は、画像形成装置２０００で行う（ステップＳ５００）。オルソ画像を作成するための画像は、航空機やプラットホームで撮影した画像や、衛星画像等が含まれる。あるいは、それら画像は、販売されているものを利用してもよい。また、調査したい個所のデジタルオルソ画像データとその画像上の基準点データが入手できれば、それらを入手して使用しても良い。一方、オルソ画像を修正する場合は、作成されたオルソ画像を利用する。
【００１１】
つぎに、地図や数値地図、電子地図、又は、作成あるいは入手したオルソ画像から、作成したい個所や不足個所、さらに詳細に調査、補測したい個所をチェックし、オルソ画像取得計画を策定する（ステップＳ６００）。そして、作成したい場所、あるいは不足・修正個所に、ＧＰＳ等でナビゲーションしながら行き、現地にて計測及び撮影を行なう（ステップＳ７００）。そして、現地にて得られた計測データ及び画像、先に作成あるいは入手した画像、基準点データがある場合はそれら基準点データ、を統合して、最終的なオルソ画像を得る（ステップＳ８００）。
【００１２】
（２）画像形成システムの各装置の構成
以下に、画像形成システムに含まれる各装置について、概略を説明する。
はじめに、画像形成装置２０００について説明する。
【００１３】
図３に、画像形成装置２０００の構成図を示す。画像形成装置２０００は、基準点データ記憶部５０、画像データ記憶部６０、補測基準点データ記憶部５５、補測画像データ記憶部６５、オルソ画像形成部７０、オルソ画像取得計画策定部８０を備える。また、画像形成装置２０００は、内部又は外部に、表示部７２及び入出力部７４を有する。このような各手段（機能）は、例えばパーソナルコンピュータ（ＰＣ）などにより実現することができる。
【００１４】
基準点データ記憶部５０は、大元にあたるオルソ画像作成に要する基準点データを記憶する部分である。画像データ記憶部６０は、そのオルソ画像作成の元となる撮影画像で、デジタル化されたものを記憶する部分である。補測基準点データ記憶部５５は、現地にて補測した基準点計測データを記憶する部分である。補測画像データ記憶部６５は、現地にて補測・撮影したデジタル画像データを記憶する部分である。オルソ画像形成部７０は、それら基準点データと画像データを統合し、最終的なオルソ画像を作成・合成する部分である。また、オルソ画像取得計画策定部８０は、修正したい個所のオルソ画像取得計画を策定する部分である。
【００１５】
さらに、表示部７２は、ＣＲＴ、液晶ディスプレイ又はプラズマディスプレイ等の２次元又は３次元表示を行うものである。表示部７２は、オルソ画像形成部７０で形成されたオルソ画像や各種データ等を表示する。入出力部７４は、各種画像データや測量機等の３次元座標データ等を入出力するものである。入出力部７４としては、例えば、光ディスク装置やカード型の記憶媒体（ＨＤＤ、メモリ等）、フロッピーディスク、キーボード、ペン、マウス、ターミナル、ＣＤ−ＲＯＭディスクドライブなどの各種入力装置・出力装置を備えることができる。
【００１６】
つぎに、オルソ画像取得計画策定部８０について詳述する。
図４は、オルソ画像取得計画策定部８０の構成図である。オルソ画像取得計画策定部８０は、オルソ画像作成範囲設定部８２、撮影情報設定部８５、撮影可能範囲演算部８７、撮影条件演算部８９を備える。このような各手段（機能）は、例えばパーソナルコンピュータ（ＰＣ）などにより実現することができる。
【００１７】
オルソ画像作成範囲設定部８２は、オルソ画像を作成したいオルソ画像作成範囲を設定する。撮影情報設定部８５は、オルソ画像の作成対象となる画像を撮影する撮影カメラ情報を設定する。ここで、撮影カメラ情報とは、使用するカメラの情報や各種撮影情報等であり、例えば、撮影レンズの画角、撮像面の大きさ、撮影レンズの焦点距離、オルソ画像作成範囲と位置とが関係付けられた撮影位置、ＣＣＤの画素サイズ又はフィルム面の読みとり精度等のいずれかひとつ又は複数である。また、撮影情報設定部８５には、静止画用カメラ又は動画用カメラの情報、地上撮影又は空撮の情報、必要精度の情報等の情報が設定されることもできる。
【００１８】
撮影可能範囲演算部８７は、撮影カメラ情報等の設定された情報に基づき、撮影可能な撮影可能範囲等を演算する。撮影条件演算部８９は、撮影可能範囲に基づいて、オルソ画像作成範囲でオルソ画像が適切に形成できる撮影画像を得るための撮影条件を演算する。ここで、撮影条件とは、例えば、静止画用カメラ（スチールカメラ）の場合は、撮影回数、撮影方向又は角度、撮影位置等のいずれかひとつ又は複数であり、動画用カメラ（ビデオカメラ）の場合は、撮影方向又は角度、移動方向、移動速度、撮影位置等のいずれかひとつ又は複数である。また、撮影条件演算部８９は、空撮の場合には、撮影高さを含む撮影条件を演算し、一方、地上撮影の場合には、撮影角度及び画角を含む撮影条件を演算する。
【００１９】
つぎに、フィールド画像処理装置１０００について説明する。
図５に、フィールド画像処理装置１０００の構成図を示す。フィールド画像処理装置１０００は、各種データ記憶部１、オルソ画像形成部２、ナビゲーション部８を備える。また、フィールド画像処理装置１０００は、内部又は外部に、表示部６及び入出力部７を有する。このような各手段（機能）は、例えばポータブルパーソナルコンピュータ（ＰＣ）により実現することができる。
【００２０】
各種データ記憶部１は、測量機等で計測した三次元データや画像データ、地図データ等をあらかじめ記憶する。オルソ画像形成部２は、画像形成装置２０００内のオルソ画像形成部７０と同様のものである。ナビゲーション部８は、ＧＰＳデータ受信部１６及びナビゲーション画像表示部１７を有する。ナビゲーション部８は、ＧＰＳデータ受信部１６によりＧＰＳから受信した現在位置の情報を、ナビゲーション画像表示部１７に表示し、自分の現在位置を知ると同時に、作成、補測・修正したい場所へ移動するために利用する。また、このナビゲーション画像表示部１７で修正されたオルソ画像を確認することもできる。なお、ナビゲーション画像表示部１７は、表示部６と兼ねてもよい。
【００２１】
表示部６は、ＣＲＴ、液晶ディスプレイ又はプラズマディスプレイ等の２次元又は３次元表示を行うものである。表示部６は、オルソ画像形成部２で形成されたオルソ画像や各種データ記憶部１のデータ等を表示する。入出力部７は、各種画像データや測量機等の３次元座標入力装置から３次元座標データ等を他の装置と入出力するものである。入出力部７としては、例えば、光ディスク装置やカード型の記憶媒体（ＨＤＤ、メモリ等）、フロッピーディスク、キーボード、ペン、マウス、ターミナル、ＣＤ−ＲＯＭディスクドライブなどの各種入力装置・出力装置を備えることができる。これら、フィールド画像処理装置１０００の表示部６及び入出力部７と、画像形成装置２０００の表示部７２及び入出力部７４は、兼用することができる。
【００２２】
（３）詳細な処理動作
以下に、図２で示したオルソ画像作成の概略フローチャートについて、詳細なフローチャートに従って説明する。
【００２３】
（３−１）オルソ画像作成・修正必要個所チェック・計測計画策定処理（ステップＳ６００）
図６に、オルソ画像作成・修正必要個所チェック・計測計画策定処理についてのフローチャートを示す。オルソ画像作成・修正必要個所チェック・計測計画策定処理（ステップＳ６００）では、ステップＳ５００により作成又は入手した地図又は画像から、オルソ画像を作成したい場所、不足部分や詳細に計測したい場所等を確認する（ステップＳ６１０）。そして、オルソ画像作成・修正にあたって、画像形成装置２０００のオルソ画像取得計画策定部８０によって計測計画を策定する（ステップＳ６２０）。
【００２４】
図７に、計測計画策定についてのフローチャートを示す。以下に、オルソ画像取得計画策定部８０によるステップＳ６２０での計測計画策定について、さらに詳細に説明する。
まず、ステップＳ５００で作成または入手された地図又は画像から作成・修正したいエリアを、表示部７２上で、ペン・マウス等の入出力デバイスを備えた入出力部７４により指定する（ステップＳ６２５）。指定されたデータは、オルソ画像作成範囲設定部８２に設定される。オルソ画像がある場合は、オルソ画像を表示させ、その上でエリア指定をする。数値地図や電子地図等の場合は、それらを読み込み、その地図の表示画面上で表示されたエリアを指定する。また、地図しか入手されていない場合は、そのエリアを数値入力すればよい。あるいは、取得したい画像の縮尺を合せ、オルソ画像表示画面にして（但し、表示に画像はない）、同等の大きさをカーソル、ペン等の入力デバイスによって指定しても良い。
【００２５】
つぎに、そのエリアの面積を計算する（ステップＳ６３０）。この場合、ステップＳ５００による入力データが実際の値に対応しているので、そのままｘ座標、ｙ座標を計算すれば、エリア面積を求めることができる。そして、使用するカメラでの撮影に必要な各種パラメータである撮影条件等を、撮影条件演算部８９によって計算し、１枚撮影したときの撮影範囲を撮影可能範囲演算部８７によって計算する（ステップＳ６４０）。また、撮影に必要な撮影条件等の各種情報の設定は、撮影情報設定部８５に設定される。なお、１枚撮影範囲計算処理の詳細手順については、後述する。
【００２６】
つぎに、計算された１枚の撮影範囲から、概略のオーバーラップ率を設定する（ステップＳ６６０）。オーバーラップ率は、例えば、通常１０％、ステレオ撮影なら６０％等とすることができる。つぎに、先に計算されたエリア面積とオーバーラップ率から、撮影位置、枚数を計算する（ステップＳ６６５）。撮影位置は、プラットホームからの空撮では、通常鉛直撮影となるので、１枚撮影範囲の中心とされる。一方、地上撮影の場合、撮影位置は、撮影角度、画角、撮影距離、撮影範囲等の関係により算出される。そして、オルソ画像上に撮影位置、枚数等を表示する（ステップＳ６６５）。以上のように求められた撮影位置及び枚数等から、最適のカメラを選択し、撮影位置及び撮影枚数等の撮影条件に従って、現地の計測及び撮影を行うことができる。
【００２７】
図８に、オルソ画像の撮影位置についての説明図を示す。
ここでは、例えば、複数カメラやカメラレンズを設定している場合、その中で一番撮影エリア枚数の少ないものを表示する。もちろん、設定しているものすべてを表示することも可能であるし、優先順位をつけて表示させることも可能である。なお、空中撮影の場合は、最適なプラットホームと撮影高さ又は撮影距離も表示することができる。また、車等にビデオカメラを搭載して撮影する場合は、その撮影範囲と撮影位置に応じた撮影速度を計算し、表示する。例えば、撮影位置１から撮影位置２に移動する距離がＰ（ｍ）の場合で、１秒間に最低でも１枚撮影したいときは、次式で最低移動速度が計算される。
最低移動速度（ｍ／hour）＝Ｐ×６０×６０
【００２８】
そして、計測したい場所を含むオルソ画像あるいは数値地図や電子地図、各種撮影条件（撮影位置、撮影範囲、他）を、例えばポータブルコンピュータ等から構成されるフィールド画像処理装置１０００の各種データ記憶部１に、それぞれ転送し、取込みを行なう（ステップＳ６８０）。但し、これらが同一装置上に構成されている場合は、転送、取込みは必要ない。以上のように計測計画が策定されたので、つぎに、現地での計測・撮影、あるいは補測修正作業の処理へと移る。
【００２９】
ここで、ステップＳ６４０の１枚撮影範囲計算の詳細について説明する。
図９に、１枚撮影範囲計算についてのフローチャートを示す。まず、必要な計測精度あるいは縮尺を設定する（ステップＳ６４２）。ここでは、例えば、最低どれだけの精度（例えば、何ｃｍ又は何十ｃｍ等）で計測したいか、あるいはどの程度の画像縮尺を希望するか等を定めて設定する。つぎに、撮影情報設定部８５に、使用可能なカメラの撮影カメラ情報、例えば、レンズの画角又は撮像面の大きさ、焦点距離等を設定する（ステップＳ６４４）。これらの設定条件又はカメラ自体が複数ある場合は、複数の撮影カメラ情報を設定する。なお、撮像面の大きさｄがわかれば、以下の数式により画角θｉがわかるので、画角ではなく撮像面の大きさｄを入力しても良い。
θｉ＝２tan−１（（ｄ／２）／ｆ）
（ここで、θｉ：画角、ｄ：撮像面の大きさ、ｆ：焦点距離）
【００３０】
つぎに、空中撮影か、地上撮影かを判断し、以降の処理を分ける（ステップＳ６４６）。
まず、空中撮影の場合について説明する。空中撮影する場合は、撮影高さが問題となる。撮影プラットホーム（バルーン、セスナ、ラジコンヘリ、他）によって撮影高度が異なるために、使用する撮影プラットホームを設定する（ステップＳ６４８）。撮影プラットホームを複数所有している場合は、複数設定しても良い。そして、以下の数式により、撮影高度Ｈを算出する（ステップＳ６５０）。なお、次式のδｓは、先にステップＳ６４２で必要精度として設定したものである。また縮尺の場合は、該当値に変換され、設定される。また、δｐは、デジタルカメラ使用の場合は画素サイズ、フィルムカメラ使用の場合はスキャナの読み取り精度となる。
Ｈ＝（δｓ・ｆ）／δｐ
（ここで、Ｈ：撮影高さ、δｓ：必要精度、δｐ：ＣＣＤの画素サイズ又はフィルム面の読み取り精度）
【００３１】
つぎに、撮影可能範囲演算部８７は、以下の数式により、１枚分の撮影範囲Ｒを計算する。なお、カメラやレンズを複数選択した場合は、その数だけ計算を行なう。
Ｒ＝Ｈ・tan（θｉ）
（ここで、θｉ：画角）
【００３２】
そして、図７に戻り、次のオーバーラップ率設定（ステップＳ６６０）の処理へ移行する。このようにして、レンズの画角θｉ等の撮影カメラ情報と、必要精度δｓ、計算された撮影高さＨ、撮影範囲Ｒ等のいずれかひとつ又は複数の値から、それぞれ適切なプラットホームが選択できるようになる。
【００３３】
つぎに、地上撮影の場合について説明する。
図１０に、撮影範囲と角度の関係についての説明図を示す。ここでは、撮影高さｈ、撮影角度θａにおいて、画角θｉのカメラで撮影する場合を示している。この場合は、画像形成システムに設置されたカメラによる撮影又は手持ち撮影となるため、撮影高さｈは、ある程度決まっている。撮影情報設定部８５に、この撮影高さｈを設定し、撮影角度θａも決まっている場合はそれも設定する（ステップＳ６５２）。撮影高さｈが決まると、撮影条件検算部８９は、以下の数式によって、レンズによる画角と撮影角度が決定する（ステップＳ６５４）。すなわち、画素分解能δｘｙ（＝（ｈ／ｆ）・δｐ）  （ここで、ｈ：撮影高さ、ｆ：レンズ焦点距離、δｐ：ＣＣＤ画素サイズ）とすると、
θａ＋θｉ＝cos−１（（ｈ・δｐ）／（δｘｙ・ｆ））
【００３４】
つぎに、撮影可能範囲演算部８７は、以下の数式により撮影範囲Ｒを決定する（ステップＳ６５６）。なお、レンズが複数選択されている場合、必要精度により、手持ちの焦点距離及び画角で一番範囲の広いものが選択されることになる。
Ｒ＝ｈ（tan（θｉ＋θａ）−tanθａ）
なお、以上の処理は、画像１枚１枚につき計測及び撮影する場合であったが、ステレオ撮影する場合は、次の処理によって、最適基線長Ｂも計算して出力する。
Ｂ＝（Ｈ２・δｐ）／（ｆ・δｓ）
【００３５】
（３−２）現地にて計測・撮影処理（ステップＳ７００）
つぎに、現地にて計測・撮影処理（ステップＳ７００）について詳細に説明する。
図１１に、現地にて計測・撮影処理についてのフローチャートを示す。
【００３６】
まず、計測したい現場に行き、ポータブルコンピュータ等で構成されたフィールド画像処理装置１０００上に計測範囲及び計測位置を表示する（ステップＳ７１０）。ここで、オルソ画像が既にある場合は、オルソ画像上に計測範囲及び計測位置を表示する。数値地図や電子地図がある場合は、表示画面上に地図と計測範囲及び計測位置を重ね合わせ表示する。これら画像や地図が無い場合は、ただ撮影範囲及び撮影位置を表示する。但し、これらの表示の座標系、縮尺等は所望のものに合わせて表示させておく。そして、ＧＰＳと連動させ、現在位置をその上に表示させる。（ステップＳ７２０）。
【００３７】
測定者は、表示を見ながら計測したい範囲を確認し、撮影範囲のなかでオルソ画像を作成するのに必要な点や、詳細に計測したい個所、補測したい位置等を、ＧＰＳやトータルステーション等の測量機を使用して計測（ステップＳ７３０）する。通常、ひとつの撮影範囲に６点以上の計測点が最初からあれば計測しなくても良いが、それらが無かったりさらに詳細に計測したいときや修正したいときは、その個所の計測を行なっておく。つぎに、撮影位置とＧＰＳによる現在位置の表示を見ながら正確な撮影位置に行き、オルソ画像取得計画策定部８０により求められた所定の撮影方向に向けて所定の焦点距離、画角等の条件で、デジタルカメラ等によりその場所の画像を撮影する（ステップＳ７４０）。あるいは、車等にカメラを搭載して撮影する場合は、ＧＰＳでナビゲーションしながら、ポータブルコンピュータ上の表示部６又はナビゲーション画像表示部１７を観測し、撮影位置において撮影する。また、ビデオカメラにて撮影する場合は、求められた移動速度によって撮影位置を走行し、ビデオ撮影して画像を得ても良い。ここで、空中撮影が必要な場合は、バルーンやヘリコプター等、各種プラットホームを利用してその画像と撮影位置を整合させながら撮影を行なう。
【００３８】
撮影が終了したら、フィールド画像処理装置１０００に撮影した画像を読み込む（ステップＳ７５０）。つぎに、オルソ画像作成・修正（ステップＳ７６０）を行う。オルソ画像作成、修正は、画像形成装置２０００のオルソ画像形成部７０又はフィールド画像処理装置１０００のオルソ画像形成部２を利用して行なうことができる。もし満足のいくオルソ画像がここで得られなければ、ステップＳ７００の処理を満足いくまで繰り返せばよい。また、最初にオルソ画像も数値地図等もなかった場合は、ここで作成したオルソ画像をベースにして、撮影範囲や撮影位置等を表示し、必要あればステップＳ７００を繰り返すこともできる。なお、オルソ画像作成の詳細手順については後述する。
【００３９】
なお、以上の説明において、撮影カメラ情報等の各種情報は、撮影情報設定部８５に設定されたが、これに限らず、フィールド画像処理装置１０００の各種データ記憶部１等の適宜の記録装置に設定し、記憶することができる。
【００４０】
（３−３）オルソ画像統合作成処理（ステップＳ８００）
つぎに、オルソ画像統合作成処理（ステップＳ８００）について説明する。
図１２に、オルソ画像統合作成処理についてのフローチャートを示す。ここでの処理は、現場で計測したデータならびに画像データを画像形成装置２０００に読み込ませて実行する（ステップＳ８１０）。以下の説明は、最初にオルソ画像が取得又は入手されている場合について説明しているが、それがない場合もそれらに該当するデータを無しとして以下の処理を行なうことができる。
【００４１】
まず、画像形成処置２０００において、現地にて計測した基準点データは、補測基準点データ記憶部５５に入力され、また、画像データは補測画像データ記憶部６５に入力される。また、大元となるオルソ画像の画像データは画像データ記憶部６０に入力され、その基準点データは基準点データ記憶部５０に入力されている。最初にオルソ画像が無かった場合は、現地にて計測した基準点データは基準点データ記憶部５０に入力され、画像データは画像データ記憶部５０に入力される。
【００４２】
基準点データ記憶部５０及び補測基準点データ記憶部５５に記憶された基準点データは、混在され、両方が用いられる。そして、作成したいオルソ画像の縮尺を決定したら（ステップＳ８２０）、後述するようなオルソ画像形成処理によってオルソ画像形成を行なう（ステップＳ８３０）。なお、オルソ画像統合・作成８００は、デジタル画像形成装置２０００によらず、フィールドオルソ画像作成システム１０００にても行なうことが可能である。
【００４３】
以下、オルソ画像形成部７０又は２によるオルソ画像作成処理（ステップＳ８３０）の詳細を説明する。
図１３に、オルソ画像作成処理のフローチャートを示す。
【００４４】
まず、オルソ画像を作成する際に、撮影された画像を読み込む（ステップＳ２０１）。つぎに、撮影画像上に写し込まれた基準点（６点以上）の画像座標を計測する（ステップＳ２０３）。この写し込まれた基準点は測量機等で地上座標をあらかじめ計測してあるものである。つぎに、この画像座標と地上座標の対応づけを行ない、座標変換パラメータを求める（ステップＳ２０５）。これは以下に示す３次の射影変換式により行なう。
【数１】
0004237868.tif 000002
ここで、  （ｘ、ｙ）：画像座標、
（Ｘ、Ｙ、Ｚ）：地上座標、
Ｌ１〜Ｌ１１  ：座標変換パラメータ。
【００４５】
これらのような数式を、基準点のデータに基づき最小二乗法を用いて解くと、画像座標（ｘ、ｙ）と３次元座標（Ｘ、Ｙ、Ｚ）との関係を決定するＬ１〜Ｌ１１の変換パラメータを取得することができる。
【００４６】
つぎに、オルソ画像上の各画素（ピクセル）の地上座標を計算する（ステップＳ２０７）。この処理では、オルソ画像作成のために、オルソ画像の画像座標（ｘ、ｙ）を地上座標（Ｘ、Ｙ、Ｚ）に変換するものである。地上座標（Ｘ、Ｙ、Ｚ）は、先に座標変換パラメータ算出処理のステップＳ２０５で求められた変換パラメータを用いて計算される。即ち、オルソ画像の画像座標（ｘ、ｙ）に対応する地上座標（Ｘ、Ｙ、Ｚ）は、以下の式で与えられる。このようにして、オルソ画像上の各ピクセルの取得位置を求めることができる。
【数２】
0004237868.tif 000003
ここで、
（Ｘ０、Ｙ０）  ：地上座標系でのオルソ画像の左上の位置、
（ΔＸ、ΔＹ）：地上座標系での１画素の大きさ（例：ｍ／ｐｉｘｅｌ）、
（ｘ、ｙ）    ：オルソ画像の画像座標、
（Ｘ、Ｙ、Ｚ）：地上画像（三次元座標）、
ａ、ｂ、ｃ、ｄ：ある画像座標（ｘ、ｙ）を内挿する複数の基準点により形成される平面方程式の係数である。
【００４７】
今度は、ステップＳ２０５で求めた変換パラメータを使用して、数式１により、ステップＳ２０７で求められた地上座標（Ｘ、Ｙ、Ｚ）に対応する画像座標（ｘ、ｙ）を計算する（ステップＳ２０９）。このように求められた画像座標（ｘ、ｙ）から、該当する画像の地上座標（Ｘ、Ｙ、Ｚ）上の濃度値を取得する。この濃度値が、オルソ画像上における２次元の位置（Ｘ、Ｙ）のピクセルの濃度である。このように、地上座標上の位置（Ｘ、Ｙ）に貼り付ける画像濃度を取得する。以上のような処理を、オルソ画像のすべてのピクセルに対して行うことにより、画像貼付が行なわれる（ステップＳ２１１）。また、画像貼付けの際は、選択された画像を所望の縮尺に対応する解像度に画像を変換しながら貼り合わせる。なお、ここでは、画像濃度について画像貼付を説明したが、これに限らず、色、柄等適宜の情報を取得して、画像貼付けを行うことができる。
【００４８】
【発明の効果】
本発明によると、以上のように、これらオルソ画像作成・修正にあたって、計測及び撮影現場での失敗や不足等がないように、また、再び現地にて撮影及び計測等の時間がかからないようにすることができる。また、本発明によると、現地での作業と実際に整合がとれるような撮影計画をその必要精度やオルソ画像作成範囲等からシミュレーションができ、さらにそれらにあわせ最適の機材を選択でき、現地にて間違いのない計測及び撮影の支援を行えるようにした画像形成システムを提供することができる。
【００４９】
本発明によれば、従来、机上での計測及び撮影計画であったものが、実際に撮影範囲、撮影位置、使用機材、撮影枚数等の撮影条件について、計算及び選択を行い、且つ、現地にて実際にそれら指示及び確認を行いながら、画像取得及び計測が可能となり、失敗やミス、撮り直し等がなくなり、効率的なオルソ画像作成ができるという卓越した効果がある。
【００５０】
さらに、本発明によれば、ＧＰＳが利用できれば、だれでも簡単に計測とオルソ画像取得とを同時に実施することができるという卓越した効果がある。また、本発明によれば、計測データや画像データを蓄積していくことで、詳細なオルソ画像図面が順次作成され、さらに所望の縮尺でオルソ画像を作成することが可能となる。
【図面の簡単な説明】
【図１】本発明に係る画像形成システムの全体構成図。
【図２】オルソ画像作成の概略フローチャート。
【図３】画像形成装置２０００の構成図。
【図４】オルソ画像取得計画策定部８０の構成図。
【図５】フィールド画像処理装置１０００の構成図。
【図６】オルソ画像作成・修正必要個所チェック・計測計画策定処理についてのフローチャート。
【図７】計測計画策定についてのフローチャート。
【図８】オルソ画像の撮影位置についての説明図。
【図９】１枚撮影範囲計算についてのフローチャート。
【図１０】撮影範囲と角度の関係についての説明図。
【図１１】現地にて計測・撮影処理についてのフローチャート。
【図１２】オルソ画像統合作成処理についてのフローチャート。
【図１３】オルソ画像作成処理のフローチャート。
【符号の説明】
１０００  フィールド画像処理装置
２０００  画像形成装置
３０００  ＧＰＳ受信機
５０  基準点データ記憶部
６０  画像データ記憶部
５５  補測基準点データ記憶部
６５  補測画像データ記憶部
７０  オルソ画像形成部
８０  オルソ画像取得計画策定部
８２  オルソ画像作成範囲設定部
８５  撮影情報設定部
８７  撮影可能範囲演算部
８９  撮影条件演算部
【図１】
0004237868.tif 000004
【図２】
0004237868.tif 000005
【図３】
0004237868.tif 000006
【図４】
0004237868.tif 000007
【図５】
0004237868.tif 000008
【図６】
0004237868.tif 000009
【図７】
0004237868.tif 000010
【図８】
0004237868.tif 000011
【図９】
0004237868.tif 000012
【図１０】
0004237868.tif 000013
【図１１】
0004237868.tif 000014
【図１２】
0004237868.tif 000015
【図１３】
0004237868.tif 000016